(57)【要約】【課題】放熱性を確保しつつ小型化が可能で、連続配置することにより影を生じることなく一体化された面光源を形成することができる照明器具を提供する。【解決手段】発光部３０は、固定部材３４により筒状の筐体２０に取り付けられており、帯状の回路基板３１と、回路基板３１の長手方向に沿って配列された複数のＬＥＤユニット３２と、各ＬＥＤユニット３２を覆うカバー３３とを有する。筐体２０の内部には電源部４０が収容され、筐体２０には、発光部３０の照射方向に対して交差する方向に内外を連通する第１の開口２５が設けられているので、ＬＥＤユニット３２や電源部４０から発生する熱を筐体２０内に滞留させずに適宜放熱することができ、放熱性を確保することができる。また、固定部材３４が、各ＬＥＤユニット３２のうちの長手方向最端部のＬＥＤユニット３６よりも発光部３０の中央部寄りに設けられているので、固定部材３４が影にならず、一体化された面光源を形成することができる。【選択図】図１
2014072142.tif 000002
【特許請求の範囲】
【請求項１】
筒状の筐体と、
前記筐体に取り付けられた発光部と、
前記筐体における前記発光部の照射方向に対して交差する方向に設けられ、前記筐体の内外を連通する第１の開口と、
前記筐体に前記発光部を固定するための固定部材と、を備え、
前記発光部が、帯状の回路基板と、前記回路基板の長手方向に沿って配列された複数のＬＥＤユニットと、前記各ＬＥＤユニットを覆うカバーとを有し、
前記固定部材が、前記各ＬＥＤユニットのうちの長手方向最端部のＬＥＤユニットよりも前記発光部の中央部寄りに設けられている照明器具。
【請求項２】
請求項１に記載の照明器具において、
前記固定部材を複数有し、
前記各固定部材が、前記発光部の長手方向に沿った線を中心とする対称位置に設けられている照明器具。
【請求項３】
請求項１または請求項２に記載の照明器具において、
前記筐体に対する前記固定部材の頭頂部が前記ＬＥＤユニットの出射面よりも低い照明器具。
【請求項４】
請求項１ないし請求項３のうちのいずれか１項に記載の照明器具において、
前記筐体の表面積に対して前記第１の開口の開口面積が１０％以上３５％未満である照明器具。
【請求項５】
請求項１ないし請求項４のうちのいずれか１項に記載の照明器具において、
前記発光部を支持するとともに前記発光部を前記筐体に固定するための反射部材を有し、
前記筐体と前記反射部材との間に隙間が形成されている照明器具。
【請求項６】
請求項１ないし請求項５のうちのいずれか１項に記載の照明器具において、
前記筐体における前記発光部の照射方向とは反対側に設けられ、前記筐体の内外を連通する第２の開口を有する照明器具。
【発明の詳細な説明】
【技術分野】
【０００１】
本発明は、連続配置することにより、切れ目なく一体化された面光源を設けることができる照明器具に関するものである。
【背景技術】
【０００２】
従来、限られた狭スペースに設置可能であり、かつ、光を連結して、切れ目なく一体化された面光源を形成できるような照明器具が望まれている。
しかし、狭スペースに設置可能となるように照明器具を小型化すると、照明器具自体の放熱領域も小さくなってしまうので、放熱性が低下してしまう。
また、光を連結しようとしても、従来の蛍光灯などでは、その両端にソケットや金具などが配置されているので、間隔が生じてしまい、光を連結して切れ目なく一体化された面光源を得ることが困難であった。
【０００３】
そこで、近年、照明器具の小型化と放熱性向上とを両立させる技術として、照明器具に複数の放熱フィンを設ける技術が提案されている（例えば、特許文献１参照）。
また、光を連結して、切れ目なく一体化された面光源を形成する技術として、光源であるＬＥＤ基板の端面同士を、接続端子を介さずに、銅線にて橋渡しして連結できる照明器具が提案されている（例えば、特許文献２参照）。
【先行技術文献】
【特許文献】
【０００４】
【特許文献１】特開２００８−２１０５９３号公報（第１図）
【特許文献２】特開２０１０−１６１０４６号公報（第５図）
【発明の概要】
【発明が解決しようとする課題】
【０００５】
しかしながら、特許文献１に記載の照明器具のように放熱フィンを用いると、放熱フィンが嵩張るため小型化が困難であり、また、部材点数が増加するため、組立作業性が低下したり、部材コストが増加したりするなどの問題点がある。
また、特許文献２に記載の照明器具では、ＬＥＤ基板上に銅線が設けられているので、複数の照明器具を組み合わせて一体化された面光源を形成する際に、銅線により遮光されて影が生じるという問題がある。
【０００６】
本発明は、従来の問題を解決するためになされたもので、放熱性を確保しつつ小型化が可能で、連続配置することにより影を生じることなく一体化された面光源を形成することができる照明器具を提供することを目的とする。
【課題を解決するための手段】
【０００７】
本発明の照明器具は、筒状の筐体と、前記筐体に取り付けられた発光部と、前記筐体における前記発光部の照射方向に対して交差する方向に設けられ、前記筐体の内外を連通する第１の開口と、前記筐体に前記発光部を固定するための固定部材と、を備え、前記発光部が、帯状の回路基板と、前記回路基板の長手方向に沿って配列された複数のＬＥＤユニットと、前記各ＬＥＤユニットを覆うカバーとを有し、前記固定部材が、前記各ＬＥＤユニットのうちの長手方向最端部のＬＥＤユニットよりも前記発光部の中央部寄りに設けられているものである。
【０００８】
また、本発明の照明器具は、前記固定部材を複数有し、前記各固定部材が、前記発光部
の長手方向に沿った線を中心とする対称位置に設けられているものである。
【０００９】
また、本発明の照明器具は、前記筐体に対する前記固定部材の頭頂部が前記ＬＥＤユニットの出射面よりも低いものである。
【００１０】
また、本発明の照明器具は、前記筐体の表面積に対して前記第１の開口の開口面積が１０％以上３５％未満であるものである。
【００１１】
また、本発明の照明器具は、前記発光部を支持するとともに前記発光部を前記筐体に固定するための反射部材を有し、前記筐体と前記反射部材との間に隙間が形成されているものである。
【００１２】
さらに、本発明の照明器具は、前記筐体における前記発光部の照射方向とは反対側に設けられ、前記筐体の内外を連通する第２の開口を有するものである。
【発明の効果】
【００１３】
本発明は、筐体の内部には電源部が収容され、筐体には、発光部の照射方向に対して交差する方向に内外を連通する開口が設けられているので、放熱性を確保することができる。また、固定部材が、各ＬＥＤユニットのうちの長手方向最端部のＬＥＤユニットよりも発光部の中央部寄りに設けられているので、固定部材が影にならず、一体化された面光源を形成することができるという効果を有する照明器具を提供できる。
【図面の簡単な説明】
【００１４】
【図１】（Ａ）は本発明に係る実施形態の照明器具を連結した状態の側面図であり、（Ｂ）は（Ａ）中Ｂ方向から見た底面図であり、（Ｃ）は（Ａ）中Ｃ方向から見た平面図
【図２】図１（Ｃ）中ＩＩ−ＩＩ位置の断面図
【図３】図２中ＩＩＩ−ＩＩＩ位置の断面図
【図４】（Ａ）はねじを器具本体の中心軸に対して対称の位置に設けた場合を示す平面図であり、（Ｂ）はねじを器具本体の中心軸に対して千鳥状に設けた場合を示す平面図
【図５】ＬＥＤユニットの出射面とねじの頭頂部との高さ位置関係を示す断面図
【図６】端部を開放した場合の器具本体の斜視図
【発明を実施するための形態】
【００１５】
以下、本発明に係る実施形態の照明器具について、図面を用いて説明する。
図１（Ａ）乃至（Ｃ）に示すように、本発明に係る実施形態の照明器具１０は、例えば被取付面である天井面１１に設けられた取付孔１２に、複数（ここでは、例えば２個）長手方向に連結して使用することができる。
なお、以下の説明においては、照射方向を下方とし、照射方向と反対側を上方とした場合について説明する。
【００１６】
図２および図３に示すように、照明器具１０は、細長い矩形筒状の器具本体（筐体）２０を有する。
器具本体２０は、下方に開口した（筐体開口２１）断面コ字状の上筐体２２と、上筐体２２の内部に水平に取り付けられる取付板２３を有する。器具本体２０の長手方向両端は、端板２８によって塞がれており、埃等の浸入を防止している（図２参照）。
上筐体２２は、天板２２１と、左右一対の側板２２２、２２２を有し、側板２２２の下端は外側に折曲げられて係止部２２３を有する。
器具本体２０を長手方向に連結して照明器具１０を連結する際には、隣接する照明器具１０の天板２２１同士を、上側から連結板２９を用いて連結することができる（図１（Ａ）、図１（Ｂ）参照）。
【００１７】
図１（Ａ）および図２に示すように、側板２２２には、器具本体２０の内外を水平方向に連通する第１の開口２５が適宜の位置に設けられている。
第１の開口２５の開口面積は、器具本体２０の表面積の１０％以上３５％未満となるように設定されている。
第１の開口２５の形状は特に限定されないが、同じ開口領域であっても、１個の開口ではなく、複数の開口を設けることが好ましい。
例えば、第１の開口２５を長孔にすると強度が低下するので、複数の円形にするのがよい。
なお、器具本体２０の強度の観点から、第１の開口２５は、両側板２２２において、ＬＥＤユニット３２を挟んで、左右対称の位置に、同じ開口面積で設けることが好ましい。
【００１８】
図１（Ｃ）に示すように、天板２２１には、長手方向に少なくとも２個のボルト孔２４が設けられている。
また、天板２２１には、器具本体２０の内外を上下方向に連通する第２の開口２７が適宜の位置に設けられている。この第２の開口２７は、器具本体２０内部の熱を放出可能であるとともに、電源線（図示省略）等の配線に用いることができる。
【００１９】
図２および図３に示すように、ボルト孔２４にはアンカーボルト１３の下端部がナット１４により取り付けられる。
なお、ボルト孔２４の位置には、ボルト孔（図示省略）を有し、断面コ字状の補強材２６が天板２２１の下面に取り付けられており、天板２２１を補強する。
なお、天板２２１下面には、電源部４０が取り付けられており、ボルト孔２４は電源部４０を避けて設けられている。
【００２０】
図３に示すように、器具本体２０の内部における取付板２３の下側には、反射板５０を介して発光部３０が取り付けられる。
反射板５０は、上板５１と、一対の側板５２とを有して断面コ字状を呈しており、上板５１の下面および側板５２の内面は、例えば白に塗装されて、発光部３０の光を反射する。側板５２の下端は外側に折曲げられ、さらに先端を上側に折曲げて、断面Ｌ字形状の枠部５３が設けられている。
【００２１】
反射板５０は、反射性を備える部材であって、ねじ（固定部材）３４によって取付板２３に取り付けられる。このとき、反射板５０と取付板２３との間には、隙間３５が形成される。なお、本発明に適用可能な反射部材としては、反射板に限らず、反射性を備える部材として利用されているものであればよい。
隙間３５は、ねじ３４にスペーサ（図示省略）を設けることで確保することができる。あるいは、ねじ３４を締めたときに、枠部５３の上端面５３１が天井に当接することにより隙間３５を形成してもよい。
【００２２】
発光部３０は、反射板５０に取り付けられる回路基板３１と、回路基板３１に実装されるＬＥＤユニット３２、回路基板３１およびＬＥＤユニット３２を覆う透光性のカバー３３とを有する。
回路基板３１は、例えばセラミックやアルミ製で帯状を呈しており、長手方向に沿って複数のＬＥＤユニット３２が実装される。
【００２３】
図４（Ａ）に示すように、ねじ３４は、各ＬＥＤユニット３２のうちの長手方向最端部のＬＥＤユニット３６よりも発光部３０の中央部寄りに設けられている。
また、ねじ３４は、発光部３０の長手方向に沿った線ＣＬを中心として対称位置に設けられる。
あるいは、図４（Ｂ）に示すように、対称位置ではないが、長手方向に沿った線ＣＬの両側に千鳥状に配置することもできる。
【００２４】
図５に示すように、器具本体２０に対するねじ３４の頭頂部３４１の高さＨ１は、ＬＥＤユニット３２の出射面３２１の高さＨ２よりも低くなる。すなわち、Ｈ１＜Ｈ２となるように設定されている。こうすることで、ねじ３４の頭頂部３４１が壁となってＬＥＤユニット３２から出射される光の妨げとはならないので、光のロスを抑え、高光束を維持することが可能となる。
【００２５】
本発明の実施形態に係る照明器具１０の作用効果について説明する。
図２に示すように、発光部３０は、ねじ３４により筒状の器具本体２０に取り付けられており、帯状の回路基板３１と、回路基板３１の長手方向に沿って配列された複数のＬＥＤユニット３２と、各ＬＥＤユニット３２を覆うカバー３３とを有する。
図１（Ａ）、図１（Ｂ）および図２に示すように、器具本体２０の内部には電源部４０が収容され、器具本体２０の側板２２２には、発光部３０の照射方向に対して交差する方向である水平方向に内外を連通する第１の開口２５を設けた。
【００２６】
このため、ＬＥＤユニット３２や電源部４０から発生する熱を器具本体２０内に滞留させずに適宜器具本体２０の外に放熱することができ、放熱性を確保することができる。
また、図４（Ａ）に示すように、ねじ３４は、各ＬＥＤユニット３２のうちの長手方向最端部のＬＥＤユニット３６よりも発光部３０の中央部寄りに設けられている。
このため、照明器具１０を連続配置した際に、ねじ３４が影にならず、一体化された面光源を形成することができる。
【００２７】
図４（Ａ）に示すように、ねじ３４を複数設け、各ねじ３４が、発光部３０の長手方向に沿った線ＣＬを中心とする対称位置に設けられているので、製作性および汎用性に富む。
また、回路基板３１上ではなく、回路基板３１の外側にねじ３４を設けたので、長手方向に沿って回路基板３１を連結する際に、つなぎ目が形成されない。このため、連続した光を実現することができる。
【００２８】
図５に示すように、器具本体２０に対するねじ３４の頭頂部３４１が、ＬＥＤユニット３２の出射面３２１よりも低いので、ねじ３４による影ができない。
【００２９】
図２に示すように、器具本体２０の表面積に対して第１の開口２５の開口面積が１０％未満だと放熱性が劣り、３５％以上だと器具本体２０部の剛性が不足する。
このため、第１の開口２５の開口面積を１０％以上３５％未満にしたので、器具本体２０の剛性を確保しつつ、開口面積を大きくして放熱性を向上できる。
【００３０】
図３に示すように、発光部３０を支持して器具本体２０に固定する反射板５０と、器具本体２０との間に隙間３５を設けたので、放熱性が向上する。
また、隙間３５を設けることにより、器具本体２０の第１の開口２５の開口面積を必要最低限に抑えて、器具本体２０の強度を確保することができる。
【００３１】
図１（Ｃ）に示すように、発光部３０の照射方向とは反対側である器具本体２０の天板２２１に、器具本体２０の内外を連通する第２の開口２７を設けたので、器具本体２０内に上下方向の空気の流れを形成し、放熱性をより向上させることができる。
【００３２】
本発明の照明器具は、前述した実施形態に限定されるものでなく、適宜な変形、改良等が可能である。
例えば、前述した実施形態においては、筒状の器具本体として矩形筒状の場合を例示したが、本発明は円筒状の場合にも適用可能である。
【００３３】
また、前述した実施形態においては、図２に示すように、器具本体２０の長手方向両端が、端板２８によって塞がれている場合について例示した。
このほか、図６に示すように、器具本体２０の長手方向両端を開放するようにすることも可能である。
また、前述した実施形態においては、図３に示すように、断面コ字状の反射板５０の内部に発光部３０が収容される場合について例示した。
このほか、図示はしないが、平板状の反射板の下側に露出して発光部３０を取り付けることも可能である。
【００３４】
また、ＬＥＤユニット３２は、ＳＭＤ（Surface Mount Device）タイプでもＣＯＢ（Chip On Board）タイプでもよい。
また、照明器具１０は、直線状のみならず、放射状に配置することも可能である。
【符号の説明】
【００３５】
１０  照明器具
２０  器具本体（筐体）
２５  第１の開口
２７  第２の開口
３０  発光部
３１  回路基板
３２  ＬＥＤユニット
３２１  出射面
３３  カバー
３４  ねじ（固定部材）
３４１  頭頂部
３５  隙間
３６  長手方向最端部のＬＥＤユニット
４０  電源部
５０  反射板
ＣＬ  長手方向に沿った線
【図１】
2014072142.tif 000003
【図２】
2014072142.tif 000004
【図３】
2014072142.tif 000005
【図４】
2014072142.tif 000006
【図５】
2014072142.tif 000007
【図６】
2014072142.tif 000008